【事件の表示】
　特許第２７０２７３７号「浴室の天井の構造」の請求項１ないし７に係る特許に対する特許異議の申立てについて、次のとおり決定する。
【結論】
　　訂正を認める。
　特許第２７０２７３７号の請求項１ないし２に係る特許を維持する。
【理由】
Ｉ．手続の経緯
　本件特許第２７０２７３７号に係る出願は、昭和６３年６月２７日の出願であって、平成９年１０月３日に特許の設定登録がなされ、その後、経沢正巳から特許異議の申立がなされ、取消理由通知がなされ、その指定期間内である平成１１年７月９日に訂正請求がなされた後、訂正拒絶理由通知が通知され、それに対して手続補正書が提出されたものである。
ＩＩ．訂正請求に対する補正の適否について
　特許権者が行った、訂正請求に対する補正は、訂正請求書中の訂正事項の、▲１▼訂正事項ａについて、特許請求の範囲の請求項３を削除するものであり、当該訂正請求に対する補正は、訂正請求書に添付した明細書又は図面を基準とし、特許請求の範囲の減縮に該当するものであり、又、訂正請求書に添付した明細書又は図面に記載された事項の範囲内の補正であり、しかも、訂正請求書に添付した明細書又は図面における特許請求の範囲を実質上拡張し、又は変更するものではないから、訂正請求書の要旨を変更するものではなく、特許法等の一部を改正する法律（平成６年法律第１１６号）附則第６条第１項の規定によりなお従前の例によるとされる、特許法第１２０条の４第３項でさらに準用する同法第１３１条第２項の規定に適合する。
ＩＩＩ．訂正の要旨
　訂正事項ａ：特許請求の範囲を、特許請求の範囲の減縮を目的として、次のように訂正する。
「（１）天井を平面部と凹状のアーチ状となった凹部とで形成し、平面部を凹部の一部の下方に間隔を隔てて重ね、この重合部における平面部部分を遮光板とし、遮光板の裏面側に照明器具を配した浴室の天井の構造であって、平面部を天井の一端側から他端側に架け渡して設けると共に、前記平面部を凹状のアーチ状となった凹部の中央部に位置させて重ね、この重合部に照明器具を配して成ることを特徴とする浴室の天井の構造。
　（２）天井を平面部と凹状のアーチ状となった凹部とで形成し、平面部を凹部の一部の下方に間隔を隔てて重ね、この重合部における平面部部分を遮光板とし、遮光板の裏面側に照明器具を配した浴室の天井の構造であって、天井の平面部を浴槽側に位置させると共に、前記平面部の端部と凹状のアーチ状となった凹部の端部とを重ね、この重合部に照明器具を配して成ることを特徴とする浴室の天井構造。」
　訂正事項ｂ：明細書第６頁第１行、第６頁第６行、第６頁第１１行の「実施例」、第７頁第９〜１０行の「第３実施例」、第７頁第１１行の「第４実施例」、第７頁第１２行の「第５実施例」という記載を、いずれも明瞭でない記載の釈明を目的として、「参考例」と訂正する。
ＩＶ．訂正の適否
　１．訂正の目的の適否、新規事項の有無及び拡張・変更の存否
　上記訂正事項ａに係る訂正は、訂正前の請求項３、４及び７を削除し、訂正前の請求項１、２、５及び６をもとに請求項１及び２とするものであり、特許請求の範囲の減縮に該当し、願書に添付した明細書の記載の範囲内のものであり、実質的に特許請求の範囲を拡張又は変更するものではない。
　また、訂正事項ｂに係る訂正は、訂正事項ａに関連してなされた明瞭でない記載の釈明に該当し、願書に添付した明細書の記載の範囲内のものであり、実質的に特許請求の範囲を拡張又は変更するものではない。
　２・独立特許要件の判断
　訂正明細書の請求項１及び２に係る発明は、訂正明細書の特許請求の範囲の請求項１及び２に記載されたとおりのものであり（以下、「訂正後発明１」及び「訂正後発明２」という。）、これに対して、当審が通知した取消理由で引用した、実願昭６０−１９２０７号（実開昭６１−１３６０５４号）のマイクロフィルム（以下、「引用例１」という。）には、第４頁第６〜１６行、第３頁第４，５行及び第１図の記載を参照すると、天井を平面部と凹状のアーチ状となった凹部とで形成し、平面部を凹部の端部の下方に間隔を隔てて連設し、この連設部における平面部部分を遮光板とし、遮光板の裏面側に照明器具を配して成る浴室の天井の構造が記載されている。　また、同、実願昭５１−１７１５４３号（実開昭５３−８５０８３号）のマイクロフィルム（以下、「引用例２」という。）には、第２頁第１０行から第３頁第４行及び第１図の記載を参照すると、凹部天井板の一部の下面に間隔を隔てて下枠を重ね、重合部である下枠の裏面側に照明器具を配して間接照明を設ける点及び間接照明であるから下枠は遮光板である点が記載されている。さらに、同、実願昭５７−９７７８２号（実開昭５９−１３９０号）のマイクロフィルム（以下、「引用例３」という。）には、第２図を参照すると、平面部である受材を天井の中央部において重ねる点が記載されている。
　本件訂正後発明１及び２と、上記引用例１乃至３に記載された発明とを比較すると、いずれの引用例に記載された発明にも、本件訂正後発明１を構成する事項である、平面部を天井の一端側から他端側に架け渡して設けると共に、平面部を凹状のアーチ状となった凹部の中央部に位置させて重ねるという事項、及び本件訂正後発明２を構成する事項である、天井の平面部を浴槽側に位置させると共に、平面部の端部と凹状のアーチ状となった凹部の端部とを重ねるという事項を備えておらず、又、示唆するところもなく、そして、本件訂正後発明１及び２は、当該事項によって明細書記載の作用効果を奏するものであり、本件訂正後発明１及び２が上記引用例１乃至３に記載された発明に基いて当業者が容易に発明をすることができたものとはいえない。
　したがって、本件訂正後発明１及び２は、特許出願の際、独立して特許を受けることができるものである。
　３．訂正の適否のむすび
　以上のとおりであるから、上記訂正は、特許法等の一部を改正する法律（平成６年法律第１１６号）附則第６条第１項の規定によりなお従前の例によるとされる、特許法第１２０条の４第２項ｐ及び第３項でさらに準用する特許法第１２６条第２〜４項の規定に適合するので、当該訂正を認める。
Ｖ．異議申し立てについての判断
　１．申立ての理由の概要
　申立人経沢正巳は、証拠として甲第１乃至４号証を提出して、本件請求項１、２及び５に係る特許発明は、甲第１号証又は、甲第２号証のいずれか一に記載された発明に基づいて、あるいは、甲第２号証及び甲第３号証に記載された発明に基づいて、また、本件請求項３，４及び７に係る特許発明は、甲第１号証（又は甲第２号証）及び甲第４号証に記載された発明に基づいて、更に、本件請求項６に係る特許発明は、甲第１号証（又は甲第２号証）及び甲第３号証に記載された発明に基づいて、当業者が容易に発明をすることができたものであるから、特許法第２９条第２項の規定により特許を受けることができないものであり、本件の特許を取り消すべきであると主張している。
　２．判断
　上記甲第２乃至４号証刊行物は、取消理由に引用した引用例１乃至３と同じであり、さらに、甲第１号証刊行物にも、平面部を天井の一端側から他端側に架け渡して設けると共に、平面部を凹状のアーチ状となった凹部の中央部に位置させて重ねるという事項、及び天井の平面部を浴槽側に位置させると共に、平面部の端部と凹状のアーチ状となった凹部の端部とを重ねるという事項を備えていないから、前記訂正の適否についての判断で示した点をも併せて考慮すると、本件訂正後発明１及び２は、甲第１乃至４号証刊行物に記載された発明から当業者が容易に発明をすることができたものであるといえない。
　ＶＩ．むすび
　以上のとおりであるから、異議申立ての理由及び証拠によっては、本件の特許を取り消すことはできない。
　また、他に本件特許を取り消すべき理由を発見しない。
　よって、結論のとおり決定する。
【異議決定日】
平成１１年９月１３日（１９９９．９．１３）
【訂正の要旨】
訂正の要旨
▲１▼訂正事項ａ：特許請求の範囲を、特許請求の範囲の減縮を目的として、次のように訂正する。
「（１）天井を平面部と凹状のアーチ状となった凹部とで形成し、平面部を凹部の一部の下方に間隔を隔てて重ね、この重合部における平面部部分を遮光板とし、遮光板の裏面側に照明器具を配した浴室の天井の構造であって、平面部を天井の一端側から他端側に架け渡して設けると共に、前記平面部を凹状のアーチ状となった凹部の中央部に位置させて重ね、この重合部に照明器具を配して成ることを特徴とする浴室の天井の構造。
　（２）天井を平面部と凹状のアーチ状となった凹部とで形成し、平面部を凹部の一部の下方に間隔を隔てて重ね、この重合部における平面部部分を遮光板とし、遮光板の裏面側に照明器具を配した浴室の天井の構造であって、天井の平面部を浴槽側に位置させると共に、前記平面部の端部と凹状のアーチ状となった凹部の端部とを重ね、この重合部に照明器具を配して成ることを特徴とする浴室の天井構造。」
▲２▼訂正事項ｂ：明細書第６頁第１行、第６頁第６行、第６頁第１１行の「実施例長第７頁第９〜１０行の「第３実施例」、第７頁第１１行の「第４実施例共第７頁第１２行の「第５実施例」という記載を、いずれも明瞭でない記載の釈明を目的として、「参考例」と訂正する。
（５４）【発明の名称】
浴室の天井の構造
（５７）【特許請求の範囲】
（１）天井を平面部と凹状のアーチ状となった凹部とで形成し、平面部を凹部の一部の下方に間隔を隔てて重ね、この重合部における平面部部分を遮光板とし、遮光板の裏面側に照明器具を
配した浴室の天井の構造であって、平面部を天井の一端側から他端側に架け渡して設けると共に、前記平面部を凹状のアーチ状となった凹部の中央部に位置させて重ね、この重合部に照明器具を配して
　（２）
天井を平面部と凹状のアーチ状となった凹部とで形成し、平面部を凹部の一部の下方に間隔を隔てて重ね、この重合部における平面部部分を遮光板とし、遮光板の裏面側に照明器具を配した浴室の天井の構造であって、天井の平面部を浴槽側に位置させると共に、前記平面部の端部と凹状のアーチ状となった凹部の端部とを重ね、この重合部に照明器具を配して成ることを特徴とする
【発明の詳細な説明】
　　【産業上の利用分野】
　本発明は天井のデザイン効果と間接照明により浴室空間を快適にする技術に関する。
　　【従来の技術】
　従来の浴室においては、壁面に照明器具が配設されて、直接照明とされている。
　　【発明が解決しようとする課題】
　従って、従来にあっては、光源が見えるためまぶしく、又、照明器具が見えるので浴室内の納まりがすっきりとしないものであり、更に、直接光のため均一な光りが得られにくく、浴室内の雰囲気を向上させることなどできないものであった。
　本発明は上記課題を解決するために為されたものであり、その目的とするところには、天井にデザイン効果を発揮させ、しかも間接照明により浴室空間を快適にできる浴室の天井の構造を提供することにある。
　　【課題を解決するための手段】
　本発明の浴室の天井の構造は、天井１を平面部８と凹状のアーチ状となった凹部９とで形成し、平面部８を凹部９の一部の下方に間隔を隔てて重ね、この重合部における平面部部分８ａを遮光板２とし、遮光板２の裏面側に照明器具３を配して成るものであり、この構成により上記課題が解決されたものである。
　　［作用］
　天井１を平面部８と凹状のアーチ状となった凹部９とで形成し、平面部８を凹部９の一部の下方に間隔を隔てて重ね、この重合部における平面部部分８ａを遮光板２とし、遮光板２の裏面側に照明器具３を配してあるから、天井をアーチ状にして天井を高くしながら、天井のアーチ状の形状を有効に利用して、アーチ状の凹部９に平面部８を重ね、この重合部に照明器具３を配することで、浴室の間接照明ができる。
　　［実施例］
　第１図及び第２図に示す実施例にあっては浴室Ａの天井１は全体に亘って裏面側に凹状のアーチ状となっており、天井１の一側端から他側端に遮光板２が架け渡されて遮光板２が略中央部に位置している。この遮光板２の裏面側に照明器具３が配設されている。浴室Ａの床面の一側は浴槽配置部４であり、他側が洗い場部５となっている。又、洗い場部５の上方の壁面６には他の照明手段７が配設されている。この実施例では、遮光板２の右側、左側あるいは両側というように自在な照明ができる。従って、例えばシャワー１１のみを使う場合には洗い場部５側の照明だけで良く、又、浴槽側の壁面に窓１２を設けた場合、浴槽配置部４のみ照明することにより、洗い場部５使用どきにシルエットを見えなくできる。更に、遮光することにより光源が見えなく、まぶしさを防ぐことができ、又、照明器具３も見えないので、浴室Ａ内をすっきりさせることができる。更に天井１に照明器具３が配設されているので、天井１を変えることによって浴室Ａの雰囲気を大きく変えることができる。このようにデザイン的に優れた天井１と間接照明によりムード溢れる浴室Ａを演出できるものである。又、天井１はアーチ状であるので、全面を光らせることができ、しかも天井１はそれだけ高くなって浴室Ａ空間が広くなる。
　第３図及び第４図に示す実施例にあっては、天井１は平面部８と凹状となった凹部９とから形成されており、凹部９と平面部８とが一部重合しており、この重合部における平面部部分８ａを遮光板２としており、この遮光板２の裏面側に照明器具３が配設されている。従って、平面部８と凹部９との明暗をはっきりとさせることができる。又、この実施例では天井１の平面部８が浴槽配置部４側に位置しており、平面部８にはダウンライトのようなスポット照明用器具１０が取付けられている。従って、洗い場部５が明るくなって洗い作業が容易となり、一方、浴槽に入った場合にはまぶしさがなく落ち着けことができるものである。又、スポット照明用器具１０によりスポット部を美しく見せることができる。
　第５図及び第６図に示す
参考例
　第７図に
参考例
　第８図に示す
参考例
　　【発明の効果】
　本発明にあっては、天井を平面部と凹状のアーチ状となった凹部とで形成し、平面部を凹部の一部の下方に間隔を隔てて重ね、この重合部における平面部部分を遮光板とし、遮光板の裏面側に照明器具を配してあるから、天井をアーチ状にして天井を高くしながら、天井のアーチ状の形状を有効に利用して、アーチ状の凹部に平面部を重ね、この重合部に照明器具を配することで、浴室の間接照明がおこなえるという利点がある。
【図面の簡単な説明】
　第１図は本発明の第１実施例を示す一部破断斜視図、第２図は同上における天井を示す概略図、第３図は第２実施例を示す一部破断斜視図、第４図は同上における天井を示す概略図、第５図は
参考例
参考例
参考例